(57)【要約】【課題】  製造の困難化や製造コストの高騰を招来することなく、光源からの照明光が入射される光学部品の光入射面の汚れや塵壊の付着が確実に防止されるようになされた画像表示装置を提供する。【解決手段】  光源１からの照明光が透過する各光学部品２２，２６，２７，２８の光透過面が、略々鉛直面となされているとともに、これら光透過面には、冷却手段により、風速が秒速１．５ｍ以上の冷却風が送られる。【選択図】      図７
2006017902.tif 000002
【特許請求の範囲】
【請求項１】
スクリーンの背面側から画像光を投射して、このスクリーンを透して前面側に向けて画像表示を行う画像表示装置であって、
装置の前面側が前記スクリーンとなされた密閉構造の筐体と、
光源と、
前記筐体内に収納され前記スクリーンに対して画像光を投射するためのインテグレータ光学系と、このインテグレータ光学系によって照明される空間光変調素子と、この空間光変調素子の変調光を前記スクリーンの背面側に結像させる投射光学系とからなる光学系ブロックと、
前記光学系ブロックを構成する光学部品を冷却するために、前記筐体内の空気を、この筐体内において循環させる送風手段と、
を備え、
前記光源からの照明光が透過する各光学部品の光透過面は、略々鉛直面となされているとともに、これら光透過面には、前記送風手段により、風速が秒速１．５ｍ以上の冷却風が送られる
ことを特徴とする画像表示装置。
【発明の詳細な説明】
【技術分野】
【０００１】
本発明は、光源からの照明光を、液晶パネル等の空間光変調素子を通して、スクリーンに拡大投射して画像表示を行う画像表示装置に関する。
【背景技術】
【０００２】
いわゆる液晶プロジェクタ装置等の画像表示装置においては、空間光変調素子となる液晶パネルを照明するための光源として、小型で高輝度の超高圧水銀ランプ等の発光管が使用されている。
【０００３】
超高圧水銀ランプは、点光源に近い発光特性を有するために光利用効率が高く、また、発光管内の圧力を１５０気圧乃至２００気圧に保つことにより、発光スペクトラムを連続発光とすることができる。また、超高圧水銀ランプは、印加エネルギーに対して可視光（波長約４００ｎｍ乃至７００ｎｍ）ヘの変換効率が高いので、液晶プロジェクタ装置等の画像表示装置における光源として好適である。現在、投射型の画像表示装置においては、７０Ｗ乃至２８０Ｗクラスの超高圧水銀灯が使用されている。
【０００４】
ところで、超高圧水銀ランプの発光性能を最大限に引き出すには、発光管の管内圧カを所定の圧力以上に高く維持しなければならず、そのためには、発光管の最冷点の温度を高く維持する必要がある。一方、長時間に亘る安定した動作を実現するためには、発光管の最高温度を所定の温度以下に抑えて、発光管を構成する石英ガラスの結晶化を防ぐ必要がある。
【０００５】
すなわち、超高圧水銀ランプを使用するにあたっては、発光管の温度が所定の温度範囲内となるように、適切な冷却を行う必要がある。
【０００６】
そのため、従来の画像表示装置においては、発熱量の大きな超高圧水銀ランプの周辺部分と、この超高圧水銀ランプからの照明光が入射される光学部品とを、それぞれ別個に冷却する構成が採用されている。
【０００７】
例えば、特許文献１には、図９に示すように、筐体１０６の上部側の密閉空間１０９内に空間光変調素子及び投射光学系からなる光学ブロック１０２を配置するとともに、発熱量の大きな電源回路１０５及びランプ１０１は、筐体の下部側の開放空間１１２内に配置して構成した画像表示装置が記載されている。
【０００８】
上部側の密閉空間１０９と下部側の開放空間１１２とは、隔壁１０７によって分離されている。
【０００９】
この画像表示装置においては、光学ブロック１０２は、冷却ファン１０８が上部側の密閉空間１０９内の空気を循環させることによって冷却される。そして、電源回路１０５及びランプ１０１は、これら電源回路１０５及びランプ１０１により加熱された空気が筐体の外部に排出されるとともに、筐体の外部から新たな冷却風が取り込まれることにより、冷却される。
【特許文献１】特開２０００−１４７４４９公報
【発明の開示】
【発明が解決しようとする課題】
【００１０】
前述したような従来の画像表示装置においては、光源からの照明光が入射される光学部品の光入射面の汚れや塵壊の付着を防止するため、筐体における密閉空間内で空気を循環させることによって冷却するようにしていた。
【００１１】
しかしながら、筐体内を密閉構造にして外気と遮断しても、大きな容積を有する筐体内には、塵挨が入り込み易く、光学部品に汚れや塵壊の付着が発生する虞れがある。
【００１２】
このような汚れや塵挨の付着の原因としては、筐体の組み立て時に、この筐体を構成する構造材、あるいは、光学ブロックを構成する光学部品やその構成材に、塵挨が付着し、あるいは、塵挨が閉じ込められることが考えられ、また、通常の使用時においても、筐体内の空気が膨張及び収縮を繰り返すことにより、筐体を構成する構造材に隙間が生じ、この隙間から塵挨が混入することが考えられる。
【００１３】
このような組み立て時における塵挨の混入や、使用時における筐体内への塵挨の侵入を完全に無くすことは困難であり、このような塵挨の混入や侵入を完全に無くそうとすれば、製造の困難化、製造コストの高騰が招来されてしまう。
【００１４】
そこで、本発明は、前述の実情に鑑みて提案されるものであって、製造の困難化や製造コストの高騰を招来することなく、光源からの照明光が入射される光学部品の光入射面の汚れや塵壊の付着が確実に防止されるようになされた画像表示装置を提供することを目的とする。
【課題を解決するための手段】
【００１５】
前述の課題を解決し、前記目的を達成するため、本発明に係る画像表示装置は、スクリーンの背面側から画像光を投射してこのスクリーンを透して前面側に向けて画像表示を行う画像表示装置であって、装置の前面側がスクリーンとなされた密閉構造の筐体と、光源と、筐体内に収納されスクリーンに対して画像光を投射するためのインテグレータ光学系とこのインテグレータ光学系によって照明される空間光変調素子とこの空間光変調素子の変調光をスクリーンの背面側に結像させる投射光学系とからなる光学系ブロックと、光学系ブロックを構成する光学部品を冷却するために筐体内の空気をこの筐体内において循環させる送風手段とを備え、光源からの照明光が透過する各光学部品の光透過面は、略々鉛直面となされているとともに、これら光透過面には、送風手段により、風速が秒速１．５ｍ以上の冷却風が送られることを特徴とするものである。
【００１６】
この画像表示装置においては、光源からの照明光が透過する各光学部品の光透過面は、略々鉛直面となされているので、塵挨等が付着しにくく、また、風速が秒速１．５ｍ以上の冷却風が送られることにより、塵挨等の付着が確実に防止される。
【発明の効果】
【００１７】
本発明に係る画像表示装置においては、光源からの照明光が透過する各光学部品の光透過面が略々鉛直面となされていることにより、これら光透過面に対して塵挨等が付着しにくくなっている。また、この画像表示装置においては、これら光透過面に、風速が秒速１．５ｍ以上の冷却風を送っていることによって、塵挨等の付着を確実に防止することができる。そして、画像表示装置においては、光学部品に対する汚れや塵挨の付着が防止されることにより、これら光学部品における光透過率の劣化や、光吸収による発熱が防止される。
【００１８】
すなわち、本発明は、製造の困難化や製造コストの高騰を招来することなく、光源からの照明光が入射される光学部品の光入射面の汚れや塵壊の付着が確実に防止されるようになされた画像表示装置を提供することができるものである。
【発明を実施するための最良の形態】
【００１９】
以下、本発明を実施するための最良の形態について、図面を参照しながら詳細に説明する。
【００２０】
図１は、本発明の実施形態に係る画像表示装置の概略構成を示す斜視図である。
【００２１】
この画像表示装置は、図１に示すように、筐体３０を備えて構成され、この筐体３０の下方部分に、光学系ブロックが設置されて構成されている。
【００２２】
図２は、本発明の実施形態に係る画像表示装置における光学系ブロックの構成を示す斜視図である。
【００２３】
光学系ブロックは、図２に示すように、光源装置を内蔵した照明光源ユニット１と、照明光源ユニット１からの照明光の照度を均一化させるインテグレータ光学系２と、光変調部３と、結像光学系である投射光学系４とから構成されている。これら光学系ブロックをなす各部分は、筐体に収納されて構成されている。
【００２４】
この光学系ブロックは、照明光源ユニット１より発せられインテグレータ光学系２を経て光変調部３に至った照明光を、この光変調部３において空間光変調素子によって画像情報に基づいて空間変調し、このように空間変調された照明光を投射光学系４によって斜め上方に向けて投射する。画像表示装置においては、図１に示すように、投射光学系４より投射された照明光は、筐体３０内に設置されたミラー３１によって反射されて、この画像表示装置の前面部をなす半透明スクリーン３２に、この半透明スクリーン３２の背面側より投射される。このように半透明スクリーン３２に投射された照明光は、この半透明スクリーン３２上に表示画像を結像させる。
【００２５】
この画像表示装置の筐体３０においては、ミラー３１及び半透明スクリーン３２が設置された上部側空間３３と、光学系ブロックが設置さた下部側空間３４とが、隔壁によって分けられている。上部側空間３３は、外部からの光の進入、内部から外部への光漏れ及び塵埃の侵入を防ぐため、略々密閉された空間となっている。
【００２６】
そして、光学系ブロックのうち、インテグレータ光学系２、光変調部３及び投射光学系４を収納した筐体は、筐体３０の上部側空間３３と、複数のダクトを介してつながっている。一方、光学系ブロックのうち、照明光源ユニット１を収納した筐体は、筐体３０の下部側空間３４と、複数のダクトを介してつながっている。すなわち、この光学系ブロックにおいて、照明光源ユニット１を収納した筐体と、インテグレータ光学系２、光変調部３及び投射光学系４を収納した筐体とは、互いの内部の空気が流通することのないように分離されている。
【００２７】
インテグレータ光学系２、光変調部３及び投射光学系４の冷却は、画像表示装置の筐体の上部側空間３３において、送風手段により、空気を循環させることによって行われる。すなわち、これらインテグレータ光学系２、光変調部３及び投射光学系４の冷却は、図２中矢印Ａで示すように、筐体３０の上部側空間３３内の空気がダクトを介して光学系ブロックの筐体内に送り込まれることによって行われる。インテグレータ光学系２、光変調部３及び投射光学系４を冷却した空気は、図２中矢印Ｂで示すように、光学系ブロックの筐体から排出され、ダクトを介して、筐体３０の上部側空間３３に戻される。この筐体３０の上部側空間３３内の空気は、この上部側空間３３内及びインテグレータ光学系２、光変調部３及び投射光学系４を収納した筐体内において、図示しない冷却ファン等からなる冷却手段により、循環するようになっている。
【００２８】
照明光源ユニット１を除くインテグレータ光学系２、光変調部３及び投射光学系４においては、照明光源ユニット１からの照射光を、透光性光学部品が吸収することによる発熱が主である。したがって、略々密閉した筐体３０の上部側空間３３内を循環する冷却風によって十分な冷却を行うことができる。
【００２９】
一方、照明光源ユニット１の冷却は、図２に示すように、冷却手段となる軸流ファン１２により、筐体３０の下部側空間３４に外部から取り入れた空気によって行われる。この軸流ファン１２によって照明光源ユニット１内に送られ、この照明光源ユニット１を冷却した冷却風は、ダクト２３を介して、筐体３０の外方側に排出される。
【００３０】
この照明光源ユニット１における発熱量は、光学系ブロックの中で最も大きい。そのため、この冷却風は、筐体３０外から取り入れられ、照明光源ユニット１を冷却した後は筐体３０外ヘ排出され、他の光学系に熱的な影響を与えにくいようになっている。
【００３１】
図３は、照明光源ユニット１の構成を示す分解斜視図である。
【００３２】
照明光源ユニット１は、図３に示すように、超高圧水銀ランプユニット５を備えている。この超高圧水銀ランプユニット５は、発光管である超高圧水銀ランプと、この超高圧水銀ランプを保持する凹面リフレクタ１４とを有して構成されている。この超高圧水銀ランプユニット５は、筐体状のランプハウジング６内に挿入され、押さえブラケット７により、このランプハウジング６に対して固定されている。
【００３３】
この超高圧水銀ランプユニット５においては、発光管の発光点は凹面リフレクタ１４内に位置しており、この発光点から発せられた照明光は、凹面リフレクタ１４の内面の凹面反射面によって反射されて、前方側に出射される。このように出射される光束の光軸は、略々水平となされている。
【００３４】
なお、この超高圧水銀ランプユニット５は、通常は、ランプハウジング６に収納された状態で交換部品として取り扱われており、ランプ交換等は、ランプハウジング６に収納されたままの状態で行われる。
【００３５】
そして、この照明光源ユニット１においては、ランプハウジング６の側方から、軸流ファン１２によって、超高圧水銀ランプユニット５の側面部に対して冷却風が吹き付けられる。
【００３６】
ランプハウジング６と軸流ファン１２の間には、押さえブラケット７に取り付けられた風向ガイド２４が設置されている。この風向ガイド２４が軸流ファン１２からの冷却風を導くことにより、ランプハウジング６内には、このランプハウジング６に設けられた冷却風取り込み口より、効率良く冷却風が導入される。
【００３７】
なお、照明光源ユニット１の近傍に軸流ファン１２を配置できない場合には、この照明光源ユニット１から離れた場所に軸流ファン１２を配置しても、この軸流ファン１２から照明光源ユニット１に至る導風路を形成すれば、照明光源ユニット１を効率良く冷却することができる。
【００３８】
図４Ａは、超高圧水銀ランプユニット５の構成を示す斜視図である。
【００３９】
超高圧水銀ランプユニット５は、図４Ａに示すように、内面に赤外光領域を透過するコールドミラー反射膜が形成された回転楕円体、あるいは、回転放物面体等の凹面リフレクタ１４を有し、この凹面リフレクタ１４の最凹部に両端封止型の発光管が固定されて構成されている。凹型リフレクタ１４の前端部は開放された光照射開口部となっており、この光照射開口部は、透明ガラス１１により閉蓋されている。この超高圧水銀ランプユニット５においては、凹面リフレクタ１４と透明ガラス１１とは、内部を略々密閉した構造となっている。
【００４０】
発光管の第１電極９は、凹面リフレクタ１４の最凹部に設けられた孔を介して、この凹面リフレクタ１４の外部に後方側に向けて引き出されている。
【００４１】
図４Ｂは、超高圧水銀ランプユニット５の内部構造を一部を破断して示す斜視図である。
【００４２】
発光管８の第２電極１０には、リード線１８の一端側が接続されている。このリード線１８の他端側は、凹面リフレクタ１４の曲斜面、あるいは、側面に設けられた引出孔１９を介して、この凹面リフレクタ１４の外部に引き出されている。このようにリード線１８の他端側が外方側に引き出される方向としては、凹面リフレクタ１４から出射される照明光の光軸に対して、斜め上方とすることが好ましい。
【００４３】
そして、第１電極９及びリード線１８の他端側は、導電線１３，１３を介して、コネクタ１３ａにそれぞれ接続されている。コネクタ１３ａは、ランプハウジング６に固定されており、照明光源ユニット１を光学系ブロックに装着したときに、図示しない発光管駆動電源に接続されるようになっている。
【００４４】
両端封止型の発光管８は、基本構造としては、石英ガラスで形成したバルブ内に、水銀、アルゴンガス及び微量のハロゲンガスが封入されているものである。このバルブの中心部分が発光点となる。バルブ内には、タングステン合金からなる放電電極が１ｍｍ乃至１．５ｍｍの間隔を介して互いの先端部を対向させて配置されている。これら放電電極の基端側には、モリプデン箔が接統されており、さらに、これらモリプデン箔に、外部引き出し電極である第１電極９及び第２電極１０が接続されている。これら第１電極９及び第２電極１０は、バルブの両端側に向けて、それぞれバルブの外方側に引き出されている。モリプデン箔の部分は、バルブをなす石英ガラスに対して密着封止している。
【００４５】
図５は、照明光源ユニット１の構成を示す軸流ファン１２側から見た分解斜視図である。
【００４６】
超高圧水銀ランプユニット５を覆うランプハウジング６の側面部には、図５に示すように、凹面リフレクタ１４を冷却するための第１の冷却風１５が導入される開口部６ａと、リード線１８の他端側を冷却するための第２の冷却風１６が導入される開口部６ｂとが形成されている。
【００４７】
なお、ランプハウジング６の側面部においては、軸流ファン１２の中心部分のモータに対向する部分は閉塞されている。軸流ファン１２においては、中心部分から送られる冷却風は少ないので、この中心部分に対抗する部分を閉塞することにより、この部分の周囲の開口部６ａ，６ｂを介して、凹面リフレクタ１４及びリード線１８の他端側に対して、第１及び第２の冷却風１５，１６が集中して送られることとなる。
【００４８】
この画像表示措置においては、凹面リフレクタ１４から出射される照明光の光軸から見て斜め上方、かつ、第２の冷却風１６の風上側に突出されたリード線１８の他端側部分を冷却する第２の冷却風１６は、このリード線１８の他端側部分を集中的に冷却し、その後、凹面リフレクタ１４の上側部分、すなわち、高温部を冷却するので、バランスの良い良好な冷却が行われる。
【００４９】
図６は、照明光源ユニット１の周辺の構成を示す斜視図である。
【００５０】
また、ランプハウジング６と押さえプラケット７との間には、図６に示すように、凹型リフレクタ１４の光照射開口部を閉蓋している透明ガラス１１を冷却するための第３の冷却風１７が導入される開口部が設けられている。この第３の冷却風１７は、透明ガラス１１のみならず、インテグレータ光学系２の光入射面となるＵＶ／ＩＲカットフィルタ（紫外線赤外線反射フィルタ）２２をも冷却する。
【００５１】
なお、この実施形態においては、軸流ファン１２と照射光源ユニット１の間を密閉した通風路とはしておらず、これら軸流ファン１２と照射光源ユニット１の間から周辺に漏れた冷却風によって、ランプハウジング６及び押さえブラケット７の外側部をも冷却する構成となっている。
【００５２】
ここで、照射光源ユニット１及びその周辺を冷却する各冷却風１５，１６，１７は、外部より取り込まれた外気である。これら冷却風には、若干の塵挨が舎まれており、これら塵挨が光学部品に付着する虞れがある。
【００５３】
特に、超高圧水銀ランプユニット５の前面部を閉蓋する透明ガラス１１と、ＵＶ／ＩＲカットフィルタ２２の表面に塵挨が付着すると、これら塵挨により照明光が吸収され、表示画像の輝度が著しく劣化することになる。
【００５４】
図７は、インテグレータ光学系２の構成を示す斜視図である。なお、この図７は、密閉された空間に配置された光学部品を示すため、上部のカバーを外した状態の図となっている。
【００５５】
照射光源ユニット１から出射された照射光は、図７に示すように、ＵＶ／ＩＲフィルタ２２を透過して、密閉空間となされたインテグレータ光学系２に入射される。このインテグレータ光学系２に入射された照射光は、光軸に対して４５°傾斜された壁面２５の内面部に配置された反射ミラーにより９０度曲げられ、第１フライアイレンズ及び偏光変換プリズム群２６、第２フライアイレンズ２７、第１フィールドレンズ２８及び図示しない偏光板等を透過して、光変調部３に向かう。
【００５６】
このインテグレータ光学系２を構成する各光学部品、すなわち、ＵＶ／ＩＲフィルタ２２、反射ミラー、第１フライアイレンズ及び偏光変換プリズム群２６、第２フライアイレンズ２７、第１フィールドレンズ２８及び偏光板と、照射光源ユニット１の透明ガラス１１とは、光入射面及び光出射面が鉛直面となされて配置されている。
【００５７】
したがって、これら各光学部品の光入射面及び光出射面には、塵挨が堆積して付着することがない。
【００５８】
そして、この画像表示措置において、前述した各冷却手段によって各光学部品に送られる冷却風は、各光学部品の光入射面及び光出射面における風速が、秒速１．５ｍ以上となるようになっている。
【００５９】
図８は、透明ガラス１１とＵＶ／ＩＲカットフィルタ２２の間に流れる冷却風１７の風速と透過率の変動との関係を示すグラフである。
【００６０】
ここで、透明ガラス１１とＵＶ／ＩＲカットフィルタ２２との間に流れる第３の冷却風１７の風速と、これら透明ガラス１１及びＵＶ／ＩＲカットフィルタ２２の透過率との関係を調べると、図８に示すように、第３の冷却風１７の風速が小さいと、透過率が落ちており、光学部品の表面に塵挨が付着していることがわかる。そして、第３の冷却風１７の風速を徐々に上げていくと、透過率も上がり、風速が秒速１．５ｍ以上では、略々飽和した状態となっている。
【００６１】
すなわち、各光学部品の光入射面及び光出射面における風速を秒速１．５ｍ以上とすれば、これら光学部品の表面への塵挨の付着を防止することができることがわかる。
【００６２】
なお、図８に示したデータは、高濃度の塵挨中に、画像表示措置を動作状態で放置して得たものであり、塵挨の濃度等の条件は、「ＪＩＳ  Ｄ  ０２０７」（防塵及び耐塵試験通則）に準拠したものとして行った。
【００６３】
なお、冷却風を筐体外より取り込むにあたっては、この冷却風を塵挨除去フィルタを介して取り込むようにしてもよい。
【図面の簡単な説明】
【００６４】
【図１】本発明の実施形態に係る画像表示装置の概略構成を示す斜視図である。
【図２】本発明の実施形態に係る画像表示装置における光学系ブロックの構成を示す斜視図である。
【図３】前記画像表示装置における照明光源ユニットの構成を示す分解斜視図である。
【図４Ａ】前記画像表示装置における超高圧水銀ランプユニットの構成を示す斜視図である。
【図４Ｂ】前記画像表示装置における超高圧水銀ランプユニットの内部構造を一部を破断して示す斜視図である。
【図５】前記画像表示装置における照明光源ユニットの構成を示す軸流ファン側から見た分解斜視図である。
【図６】前記画像表示装置における照明光源ユニットの周辺の構成を示す斜視図である。
【図７】前記画像表示装置におけるインテグレータ光学系の構成を示す斜視図である。
【図８】前記画像表示装置において透明ガラスとＵＶ／ＩＲカットフィルタの間に流れる冷却風の風速と透過率の変動との関係を示すグラフである。
【図９】従来の光源装置の構成を示す平面部（ａ）及び側面図（ｂ）である。
【符号の説明】
【００６５】
１  照明光源ユニット
２  インテグレータ光学系
３  光変調部
４  投射光学系
５  超高圧水銀ランプユニット
６  ランプハウジング
７  押さえブラケット
８  発光管
９  第１電極
１０  第２電極
１１  透明ガラス
１２  軸流ファン
１３  コネクタ
１４  凹面リフレクタ
１５  第１の冷却風
１６  第２の冷却風
１７  第３の冷却風
２２  ＵＶ／ＩＲカットフィルタ
【図１】
2006017902.tif 000003
【図２】
2006017902.tif 000004
【図３】
2006017902.tif 000005
【図４Ａ】
2006017902.tif 000006
【図４Ｂ】
2006017902.tif 000007
【図５】
2006017902.tif 000008
【図６】
2006017902.tif 000009
【図７】
2006017902.tif 000010
【図８】
2006017902.tif 000011
【図９】
2006017902.tif 000012